(57)【要約】 【課題】部品点数の削減を図ることができる電子機器を提供する。【解決手段】一つの形態に係る電子機器は、ガラスパネルと、固定部と、表示パネルとを具備する。固定部は、前記ガラスパネルに固定され、前記ガラスパネルに対して起立した第１部分と、前記ガラスパネルに向かい合う第２部分とを有する。表示パネルは、前記ガラスパネルと前記第２部分との間に一部が介在される位置までスライドされて、前記ガラスパネルに重ねられる。【選択図】図４
2012114952.tif 000002
【特許請求の範囲】
【請求項１】
ガラスパネルと、
表示画面を有し、前記ガラスパネルに重ねられた第１面と、この第１面とは反対側に位置した第２面と、前記第１面と前記第２面との間に亘る第３面と、前記第１面と前記第２面との間に亘り、前記第３面とは略直交した第４面とを有した表示パネルと、
前記ガラスパネルに固定され、前記表示パネルの第３面に向かい合う第１支持部と、前記ガラスパネルに固定され、前記表示パネルの第４面に向かい合う第２支持部と、前記第１支持部と前記第２支持部との間に渡され、前記表示パネルの第２面に向かい合う第３支持部とを有し、前記表示パネルが前記第２支持部に沿うようにして前記第１支持部に向けてスライドされて、前記表示パネルの角部が前記ガラスパネルと前記第３支持部との間に挿入される第１固定部と、
前記ガラスパネルに固定され、前記表示パネルの第３面の中央部に向かい合う第１支持部と、この第１支持部の先端部から折れ曲がり、前記表示パネルの第２面に向かい合う第２支持部とを有した第２固定部と、
前記ガラスパネルに取り付けられ、前記第１固定部の第１支持部及び前記第２固定部の第１支持部とは反対側から前記表示パネルに向かい合う第３固定部と、
を具備したテレビジョン受像機。
【請求項２】
請求項１の記載において、
前記第１固定部の第３支持部は、前記表示パネルと略平行となる平坦部と、この平坦部に設けられ、前記表示パネルに向いて突出した突起部とを有したテレビジョン受像機。
【請求項３】
請求項２の記載において、
前記突起部は、前記第３支持部の縁から離れた位置に設けられ、前記突起部と前記第３支持部の縁との間に、前記突起部と前記平坦部との高さの違いによる段差部が形成されたテレビジョン受像機。
【請求項４】
請求項１または請求項３の記載において、
前記第２固定部の第２支持部の先端部は、前記表示パネルから離れる方向に反ったテレビジョン受像機。
【請求項５】
請求項１または請求項４の記載において、
前記第３固定部は、前記ガラスパネルに固定された第１部材と、前記第１部材に着脱自在に取り付けられ、前記第１固定部の第１支持部及び前記第２固定部の第１支持部との間に前記表示パネルを挟み込む第２部材とを備えたテレビジョン受像機。
【請求項６】
請求項５の記載において、
前記第１部材は、前記ガラスパネルに立設されたボスを有し、前記第２部材は、前記ボスが挿入される孔を有し、前記ガラスパネルに略直交する方向から前記ボスに取り付けられるテレビジョン受像機。
【請求項７】
請求項１または請求項６の記載において、
前記第３固定部に着脱自在に取り付けられ、前記表示パネルの第２面に向かい合う第４固定部を備えたテレビジョン受像機。
【請求項８】
請求項１または請求項７の記載において、
前記第１固定部は、前記表示パネルの両端部に対応して一対設けられ、この一対の第１固定部の第２支持部によって前記表示パネルが挟まれたテレビジョン受像機。
【発明の詳細な説明】
【技術分野】
【０００１】
本発明の実施形態は、テレビジョン受像機及び表示パネルを備えた電子機器に関する。
【背景技術】
【０００２】
テレビジョン受像機は、表示パネルと、この表示パネルに取り付けられる前面カバーとを備えている。
【先行技術文献】
【特許文献】
【０００３】
【特許文献１】特開２００２−２５８２８２号公報
【発明の概要】
【発明が解決しようとする課題】
【０００４】
前面カバーは、取付部材を介して、表示パネルにねじ止めされる。この場合、多くのねじが用いられるため、部品点数が多くなる。
【０００５】
本発明の目的は、部品点数の削減を図ることができるテレビジョン受像機を提供することである。
【課題を解決するための手段】
【０００６】
実施形態によれば、テレビジョン受像機は、ガラスパネルと、表示パネルと、第１固定部と、第２固定部と、第３固定部とを有する。表示パネルは、表示画面を有して前記ガラスパネルに重ねられた第１面と、この第１面とは反対側に位置した第２面と、前記第１面と前記第２面との間に亘る第３面と、前記第１面と前記第２面との間に亘り、前記第３面とは略直交した第４面とを有する。第１固定部は、前記ガラスパネルに固定され、前記表示パネルの第３面に向かい合う第１支持部と、前記ガラスパネルに固定され、前記表示パネルの第４面に向かい合う第２支持部と、前記第１支持部と前記第２支持部との間に渡され、前記表示パネルの第２面に向かい合う第３支持部とを有し、前記表示パネルが前記第２支持部に沿うようにして前記第１支持部に向けてスライドされて、前記表示パネルの角部が前記ガラスパネルと前記第３支持部との間に挿入される。第２固定部は、前記ガラスパネルに固定され、前記表示パネルの第３面の中央部に向かい合う第１支持部と、この第１支持部の先端部から折れ曲がり、前記表示パネルの第２面に向かい合う第２支持部とを有する。第３固定部は、前記ガラスパネルに取り付けられ、前記第１固定部の第１支持部及び前記第２固定部の第１支持部とは反対側から前記表示パネルに向かい合う。
【図面の簡単な説明】
【０００７】
【図１】一つの実施形態に係るテレビジョン受像機の一例を示す斜視図。
【図２】図１中に示されたディスプレイ本体を分解して示す斜視図。
【図３】図２中に示された第１固定部を示す斜視図。
【図４】図２中に示された第１固定部を別の角度で示す斜視図。
【図５】図４中に示された第１固定部のＡ−Ａ線に沿う断面図。
【図６】図４中に示された第１固定部のＡ−Ａ線に沿う断面図。
【図７】図２中に示された第２固定部のＢ−Ｂ線に沿う断面図。
【図８】図２中に示された第２固定部のＢ−Ｂ線に沿う断面図。
【図９】図２中に示されたガラスパネルを示す平面図。
【図１０】図９中に示された第１固定部の表示パネル挿入前の状態を示す平面図。
【図１１】図１０中に示された第１固定部の表示パネル挿入後の状態を示す平面図。
【図１２】図１１中に示されたガラスパネルの第３固定部の第２部材を取り付けた状態を示す平面図。
【図１３】図１２中に示された第３固定部の第４固定部を取り付けた状態を示す平面図。
【発明を実施するための形態】
【０００８】
以下、実施の形態について、図面を参照して説明する。  
図１乃至図１３は、一つの実施形態に係るテレビジョン受像機１を開示する。テレビジョン受像機１は、電子機器の一例である。なお、本実施形態が適用可能な電子機器は、テレビジョン受像機に限られず、種々の電子機器に広く適用可能である。
【０００９】
図１に示すように、テレビジョン受像機１は、ディスプレイ本体２と、スタンド３とを備える。スタンド３は、例えばテレビ台の上に設置される。ディスプレイ本体２は、扁平状に形成されるとともに、略鉛直に起立した姿勢でスタンド３に支持される。
【００１０】
図２に示すように、ディスプレイ本体２は、表示パネル１１、ガラスパネル１２、第１固定部１３、第２固定部１４、第３固定部１５、第４固定部１６、第５固定部１７、化粧枠１８、及びバックカバー１９を備えている。
【００１１】
表示パネル１１の一例は、液晶ディスプレイである。なお、表示パネル１１は、例えばプラズマディスプレイまたは有機ＥＬディスプレイなど他の種類であってもよい。表示パネル１１は、略矩形状をした平板状に形成されている。図５及び図１０に示すように、表示パネル１１は、前面１１ａ、背面１１ｂ、上面１１ｃ、下面１１ｄ、第１側面１１ｅ、及び第２側面１１ｆを有する。
【００１２】
前面１１ａは、「第１面」の一例である。前面１１ａは、表示画面２１を有する。前面１１ａは、ガラスパネル１２に重ねられる。背面１１ｂは、「第２面」の一例である。背面１１ｂは、前面１１ａとは反対側に位置し、バックカバー１９に向かい合う。
【００１３】
上面１１ｃは、「第３面」の一例である。第１側面１１ｅは、「第４面」の一例である。第２側面１１ｆは、「第５面」の一例である。下面１１ｄは、「第６面」の一例である。上面１１ｃ、第１側面１１ｅ、第２側面１１ｆ、及び下面１１ｄは、それぞれ前面１１ａ及び背面１１ｂに略直交して延び、前面１１ａと背面１１ｂとの間に亘る。
【００１４】
図１０に示すように、上面１１ｃは、表示パネル１１の長手方向に延びている。下面１１ｄは、上面１１ｃとは反対側に位置し、表示パネル１１の長手方向に延びている。第１側面１１ｅは、上面１１ｃに略直交し、表示パネル１１の短手方向に延びている。第２側面１１ｆは、第１側面１１ｅとは反対側に位置する。第２側面１１ｆは、上面１１ｃに略直交し、表示パネル１１の短手方向に延びている。
【００１５】
上面１１ｃは、第１端部１１ｃａと、第２端部１１ｃｂと、中央部１１ｃｃとを有する。第１端部１１ｃａは、第１側面１１ｅに接続されている。第２端部１１ｃｂは、第２側面１１ｆに接続されている。中央部１１ｃｃは、第１端部１１ｃａと第２端部１１ｃｂとの間に位置する。
【００１６】
上面１１ｃと第１側面１１ｅとの間には、第１角部Ｃ１が形成されている。上面１１ｃと第２側面１１ｆとの間には、第２角部Ｃ２が形成されている。下面１１ｄと第１側面１１ｅとの間には、第３角部Ｃ３が形成されている。下面１１ｄと第２側面１１ｆとの間には、第４角部Ｃ４が形成されている。第１角部Ｃ１及び第２角部Ｃ２は、表示パネル１１の上端部に位置する。第３角部Ｃ３及び第４角部Ｃ４は、表示パネル１１の下端部に位置する。
【００１７】
ガラスパネル１２は、前面パネルの一例であり、前面カバーの一例である。表示パネル１１は、例えば緩衝部材２２（図３）を介してガラスパネル１２に重ねられている。なお、緩衝部材２２は、説明の便宜上、他の図では省略している。
【００１８】
図１及び図６に示すように、ガラスパネル１２は、表示パネル１１の前面１１ａを覆う。なお、表示パネル１１に取り付けられる前面カバーとしては、前面に開口部を有した額縁部材であってもよい。また、表示パネル１１に取り付けられる前面パネルとしては、アクリル部材などプラスチック製のものでもよい。
【００１９】
図１０に示すように、ガラスパネル１２は、表示パネル１１よりも大きな略矩形状に形成されている。ガラスパネル１２は、表示パネル１１に重なる部分と、表示パネル１１からはみ出したマージン部１２ａとを有する。第１固定部１３、第２固定部１４、第３固定部１５、及び第５固定部１７は、上記マージン部１２ａに取り付けられている。
【００２０】
図９に示すように、第１固定部１３は、例えば互いに対称になるように一対設けられている。一方の第１固定部１３は、ガラスパネル１２の上端部の右端部に配置され、表示パネル１１の第１角部Ｃ１を支持する。他方の第１固定部１３は、ガラスパネル１２の上端部の左端部に配置され、表示パネル１１の第２角部Ｃ２を支持する。
【００２１】
図３乃至図６は、表示パネル１１の第１角部Ｃ１を支持する第１固定部１３の詳細を示す。なお、第２角部Ｃ２を支持する第１固定部も、第１角部Ｃ１を支持する第１固定部１３と構成が略同じであるので、同じ機能を有する構成に同一の符号を付してその説明を省略する。
【００２２】
図３に示すように、第１固定部１３は、例えば板金である。第１固定部１３は、第１支持部２５、第２支持部２６、及び第３支持部２７を有する。第１支持部２５は、「第１部分」の一例である。第３支持部２７は、「第２部分」の一例である。第２支持部２６は、「第３部分」の一例である。
【００２３】
図４及び図５に示すように、第１支持部２５は、取付部２５ａと、起立部２５ｂとを有する。取付部２５ａは、ガラスパネル１２に例えば接着により固定されている。起立部２５ｂは、取付部２５ａから折れ曲がり、ガラスパネル１２に対して略直交するように起立している。つまり、第１支持部２５は、断面がＬ形に形成されている。
【００２４】
ここで、第１方向Ｘ、第２方向Ｙ、及び第３方向Ｚを定義する。第１方向Ｘは、表示パネル１１の長手方向である。第２方向Ｙは、表示パネル１１の短手方向であり、第１方向Ｘに略直交する。第３方向Ｚは、表示パネル１１の厚み方向であり、第１方向Ｘ及び第２方向Ｙに略直交する。
【００２５】
第１支持部２５は、表示パネル１１の上面１１ｃに沿うように、第１方向Ｘに延びている。第１支持部２５は、表示パネル１１の上面１１ｃに向かい合う。図３に示すように、第１支持部２５は、表示パネル１１の上面１１ｃに向いて突出し、表示パネル１１の上面１１ｃに当接する第１突起部３１を有する。第１突起部３１の先端部は、平面状に形成された平面部３１ａを有する。
【００２６】
図２及び図４に示すように、第２支持部２６は、第１支持部２５と同様に、取付部２６ａと、起立部２６ｂとを有する。取付部２６ａは、ガラスパネル１２に例えば接着により固定されている。起立部２６ｂは、取付部２６ａから折れ曲がり、ガラスパネル１２に対して略直交するように起立している。つまり、第２支持部２６は、断面がＬ形に形成されている。
【００２７】
第２支持部２６は、第１支持部２５と略直交した方向に延びている。第２支持部２６は、表示パネル１１の第１側面１１ｅに沿うように、第２方向Ｙに延びている。第２支持部２６は、表示パネル１１の第１側面１１ｅに向かい合う。図３に示すように、第２支持部２６は、表示パネル１１の第１側面１１ｅに向いて突出し、表示パネル１１の第１側面１１ｅに当接する第２突起部３２を有する。第２突起部３２の先端部は、平面状に形成された平面部３２ａを有する。
【００２８】
図３及び図４に示すように、第３支持部２７は、第１支持部２５の先端部と、第２支持部２６の先端部との間に渡されている。第３支持部２７は、第１支持部２５及び第２支持部２６に対して折れ曲がり、第１支持部２５及び第２支持部２６とは略直交する。第３支持部は、ガラスパネル１２と略平行であり、ガラスパネル１２に向かい合う。つまり第３支持部２７は、表示パネル１１の背面１１ｂに向かい合う。
【００２９】
図３及び図５に示すように、第３支持部２７は、平坦部３３と、第３突起部３４とを有する。平坦部３３は、板状に形成され、表示パネル１１と略平行である。第３突起部３４は、平坦部３３の内面３３ａに設けられている。第３突起部３４は、表示パネル１１の背面１１ｂに向いて突出し、表示パネル１１の背面１１ｂに当接する。
【００３０】
図５に示すように、第３突起部３４は、第３支持部２７の縁２７ａから奥まった位置に設けられている。第３突起部３４と第３支持部２７の縁２７ａとの間には、第３突起部３４と平坦部３３との高さの違いによる段差部３５が形成されている。第３突起部３４の先端部は、平面状に形成された平面部３４ａを有する。
【００３１】
図３乃至図６、図１０、図１１に示すように、表示パネル１１は、第１固定部１３の第３支持部２７とガラスパネル１２との間に当該表示パネル１１の一部が介在される位置までスライドされて、ガラスパネル１２に重ねられる。詳しく述べると、表示パネル１１は、第１側面１１ｅ及び第２側面１１ｆを第１固定部１３の第２支持部２６に沿わせるようにして、第１固定部１３の第１支持部２５に向けてスライドされる。これにより、表示パネル１１の第１角部Ｃ１及び第２角部Ｃ２は、ガラスパネル１２と第１固定部１３の第３支持部２７との間に挿入される。
【００３２】
表示パネル１１の上面１１ｃは、第１固定部１３の第１支持部２５に当接する。これにより、表示パネル１１の第２方向Ｙの位置が規制される。表示パネル１１の第１側面１１ｅは、一方の第１固定部１３の第２支持部２６に当接する。表示パネル１１の第２側面１１ｆは、他方の第１固定部１３の第２支持部２６に当接する。つまり、一対の第１固定部１３の第２支持部２６によって、表示パネル１１は左右から挟まれる。これにより、表示パネル１１の第１方向Ｘの位置が規制され、表示パネル１１が第１方向Ｘには動かなくなる。
【００３３】
表示パネル１１の背面１１ｂは、第１固定部１３の第３支持部２７に当接する。これにより、表示パネル１１の第３方向Ｚの位置が規制される。つまり、ひとつの固定部１３によって、３つの方向Ｘ，Ｙ，Ｚの位置が規制される。
【００３４】
図９に示すように、第２固定部１４は、ガラスパネル１２の上端部の中央部に配置され、表示パネル１１の上縁部の中央部を支持する。図２に示すように、第２固定部１４は、例えば板金である。第２固定部１４は、第１支持部４１と、例えば２つの第２支持部４２とを有する。なお第２支持部４２は、１つでもよく、３つ以上でもよい。
【００３５】
図７に示すように、第１支持部４１は、取付部４１ａと、起立部４１ｂとを有する。取付部４１ａは、ガラスパネル１２に例えば接着により固定されている。起立部４１ｂは、取付部４１ａから折れ曲がり、ガラスパネル１２に対して略直交するように起立している。つまり、第１支持部４１は、断面がＬ形に形成されている。図１０に示すように、第１支持部４１は、表示パネル１１の上面１１ｃに沿うように、第１方向Ｘに延びている。第１支持部４１は、表示パネル１１の上面１１ｃの中央部１１ｃｃに向かい合う。
【００３６】
図７に示すように、第２支持部４２は、第１支持部４１の先端部から折れ曲がり、第１支持部４１とは略直交する。第２支持部４２は、ガラスパネル１２と略平行であり、ガラスパネル１２に向かい合う。つまり第２支持部４２は、表示パネル１１の背面１１ｂに向かい合う。第２支持部４２の先端部は、表示パネル１１から離れる方向に沿っている。
【００３７】
図７、図８、図１０、図１１に示すように、表示パネル１１は、第１固定部１３へ挿入されると同時に、第２固定部１４へも挿入される。つまり、表示パネル１１は、ガラスパネル１２と第２固定部１４の第２支持部４２との間に当該表示パネル１１の一部が介在される位置までスライドされる。詳しく述べると、表示パネル１１は、第２固定部１４の第１支持部４１に向けてスライドされる。これにより、表示パネル１１の上縁部の中央部は、ガラスパネル１２と第２固定部１４の第２支持部４２との間に挿入される。
【００３８】
表示パネル１１の上面１１ｃは、第２固定部１４の第１支持部４１に向かい合う。表示パネル１１の背面１１ｂは、第２固定部１４の第２支持部４２に向かい合う。これにより、第２方向Ｙ及び第３方向Ｚにおいて、表示パネル１１の位置がより確実に規制される。なお、第２固定部１４の第１支持部４１と表示パネル１１との間、及び第２支持部４２と表示パネル１１との間には、例えばわずかな隙間（遊び）が設けられている。表示パネル１１の位置決めは、第１固定部１３の３つの突起部３１，３２，３４によって行われる。
【００３９】
図１２に示すように、第３固定部１５は、ガラスパネル１２の下端部に配置され、表示パネル１１の下縁部を支持する。第３固定部１５は、「他の固定部」の一例である。第３固定部１５は、ガラスパネル１２に取り付けられ、第１固定部１３の第１支持部２５及び第２固定部１４の第１支持部４１とは反対側から表示パネル１１に向かい合う。
【００４０】
図２に示すように、第３固定部１５は、ガラスパネル１２に固定された例えば複数の第１部材４５と、この第１部材４５に着脱自在に取り付けられる第２部材４６とを有する。なお第１部材４５は、１つだけでもよい。第１部材４５は、取付部４７と、ボス４８とを有する。取付部４７は、板状に形成され、ガラスパネル１２に例えば接着により固定されている。
【００４１】
ボス４８は、取付部４７に立設され、ガラスパネル１２に対して略直交する方向に延びている。図１０に示すように、ボス４８は、第１固定部１３の第１支持部２５との間に、表示パネル１１の短手方向の幅よりも大きな間隔Ｗ１を有する。いくつかのボス４８は、ねじ穴４９を有する。図２に示すように、このねじ穴４９には、バックカバー１９を固定するねじ５０が係合する。
【００４２】
図２及び図１２に示すように、第２部材４６は、ボス４８に係合する係合部材である。第２部材４６は、例えば分離可能な３つのピース４６ａ，４６ｂ，４６ｃから成る。なお、第２部材４６は、この３つのピース４６ａ，４６ｂ，４６ｃが一体に形成されたものでもよい。第２部材４６は、例えば第２方向Ｙに開口したスピーカ孔５１を有する。第２部材４６には、図示しないスピーカが取り付けられる。
【００４３】
第２部材４６は、ボス４８が挿入される貫通孔５２を有する。第２部材４６は、ガラスパネル１２に略直交する方向からボス４８に取り付けられる。ボス４８が貫通孔５２に挿入されると、第２部材４６は、第１方向Ｘ及び第２方向Ｙの動きが規制される。
【００４４】
図１２に示すように、第２部材４６は、表示パネル１１の下面１１ｄに向かい合う支持面５３を有する。支持面５３と第１固定部１３の第１支持部２５との間に間隔Ｗ２は、表示パネル１１の短手方向の幅と略同じに設定される。第２部材４６は、第１固定部１３の第１支持部２５及び第２固定部１４の第１支持部４１との間に表示パネル１１を挟み込む。
【００４５】
第２部材４６は、第１固定部１３の第１支持部２５及び第２固定部１４の第１支持部４１と協働して、表示パネル１１の第２方向Ｙの位置を規制する。これにより、表示パネル１１が第２方向Ｙに動かなくなる。
【００４６】
図２及び図１３に示すように、左右両端のボス４８には、第４固定部１６が取り付けられる。このボス４８の外周面には、例えば図示しないスリットが設けられている。第４固定部１６は、例えば板金である。第４固定部１６は、上記スリットに嵌まり、位置が固定される。
【００４７】
第４固定部１６は、第３固定部１５に着脱自在に取り付けられて、表示パネル１１の背面１１ｂに向かい合う。詳しく述べると、第４固定部１６は、例えば一対設けられる。一方の第４固定部１６は、表示パネル１１の第３角部Ｃ３の背面１１ｂに向かい合う。他方の第４固定部１６は、表示パネル１１の第４角部Ｃ４の背面１１ｂに向かい合う。
【００４８】
第４固定部１６は、第１固定部１３の第３支持部２７及び第２固定部１４の第２支持部４２と協働して、表示パネル１１の第３方向Ｚの位置を規制する。これにより、表示パネル１１が第３方向Ｚに動かなくなる。
【００４９】
第５固定部１７は、ガラスパネル１２の右端部と左端部とにそれぞれ設けられている。第５固定部１７は、表示パネル１１の第１側面１１ｅまたは第２側面１１ｆに沿って、第２方向Ｙに延びている。この一対の第５固定部１７は、第１固定部１３の第２支持部２６と協働して、表示パネル１１の第１方向Ｘの位置を規制する。
【００５０】
化粧枠１８は、表示パネル１１よりも一回り大きな枠状に形成され、第１固定部１３、第２固定部１４、第５固定部１７に取り付けられる。これにより、表示パネル１１の上面１１ｃ、第１側面１１ｅ、第２側面１１ｆ、及び下面１１ｄが覆い隠される。
【００５１】
バックカバー１９は、例えば第３固定部１５及び第５固定部１７に取り付けられる。バックカバー１９は、表示パネル１１の背面１１ｂを覆う。図１３に示すように、スタンド３は、表示パネル１１に直接に取り付けられ、表示パネル１１を支持する。つまり、表示パネル１１の重量は、第１乃至第５の固定部１３，１４，１５，１６，１７を介してではなく、スタンド３によって直接に受けられる。
【００５２】
次に、テレビジョン受像機１の組み立て方法を説明する。なお図１０乃至図１３では、説明の便宜上、いくつかの部品にハッチングを施している。
【００５３】
図９に示すように、ガラスパネル１２には、第１固定部１３、第２固定部１４、第３固定部１５の第１部材４５、及び第５固定部１７が固定されている。この状態で、ガラスパネル１２に表示パネル１１が取り付けられる。具体的には、図１０に示すように、一対の第１固定部１３の第２支持部２６に表示パネル１１の第１側面１１ｅ及び第２側面１１ｆを沿わせて、表示パネル１１の上面１１ｃを第１固定部１３の第１支持部２５及び第２固定部１４の第１支持部４１に向けてスライドさせる。
【００５４】
このとき、図５及び図７に示すように、表示パネル１１は、上面１１ｃに比べて下面１１ｄを持ち上げた斜めの姿勢で第１固定部１３の第１支持部２５及び第２固定部１４の第１支持部４１に向けてスライドされる。ここで、第１固定部１３の第３支持部２７が段差部３５を有するとともに、第２固定部１４の第２支持部４２の先端部が反っているため、表示パネル１１を斜めの姿勢でスライドさせても、表示パネル１１は第１固定部１３及び第２固定部１４に干渉しない。
【００５５】
そして、図６及び図１１に示すように、表示パネル１１を最も奥までスライドさせると、第１固定部１３の第１支持部２５、第２支持部２６、及び第３支持部２７がそれぞれ表示パネル１１の上面１１ｃ、第１側面１１ｅ、第２側面１１ｆ、及び背面１１ｂに当接し、表示パネル１１の位置が定まる。
【００５６】
次に、図１２に示すように、第３固定部１５の第１部材４５に第２部材４６を取り付ける。これにより、第２部材４６の支持面５３が表示パネル１１の下面１１ｄに対向する。つまり、第１固定部１３及び第２固定部１４と第３固定部１５の第２部材４６との間に、表示パネル１１が挟み込まれる。これにより、表示パネル１１が下方に抜けなくなる。
【００５７】
次に、図１３に示すように、第３固定部１５に第４固定部１６を取り付ける。第４固定部１６は、表示パネル１１の下端部の背面１１ｂに向かい合う。これにより、表示パネル１１が第３方向Ｚにおいても抜けなくなる。これにより、表示パネル１１の動きが完全に規制される。そして、化粧枠１８が取り付けられるとともに、図示しない回路基板やスピーカが搭載され、バックカバー１９やスタンド３が取り付けられることで、テレビジョン受像機１が組み上がる。
【００５８】
このような構成によれば、電子機器の部品点数を削減することができる。すなわち本実施形態に係るテレビジョン受像機１は、ガラスパネル１２に対して起立した第１支持部２５と、ガラスパネル１２に向かい合う第３支持部２７とを有した第１固定部１３と、ガラスパネル１２と第３支持部２７との間に一部が介在される位置までスライドされて、ガラスパネル１２に重ねられた表示パネル１１とを備える。つまり、表示パネル１１の第２方向Ｙの動きを規制する第１固定部１３の一部によって、表示パネル１１の第３方向Ｚの動きが規制される。このため、表示パネル１１の第３方向Ｚの動きを規制するための取り付けられる取付部材やねじを減らすことができる。これにより部品点数を削減することができる。
【００５９】
さらに、表示パネル１１をスライドして挿入することでこの表示パネル１１の取り付けが可能であると、ねじ止めする場合に比べて、取り付け作業性が良く、作業時間を短縮することができる。
【００６０】
本実施形態では、第１固定部１３が第１方向Ｘから表示パネル１１に向かい合う第２支持部２６を有する。つまり、本実施形態では、表示パネル１１の第１方向Ｘの動き及び第２方向Ｙの動きを規制する第１固定部１３の一部によって、表示パネル１１の第３方向Ｚの動きが規制される。これにより、さらに部品点数を削減することができる。
【００６１】
本実施形態では、表示パネル１１の上面１１ｃの中央部１１ｃｃを支持する第２固定部１４が設けられている。これにより、表示パネル１１の第２方向Ｙの位置がより確実に規制される。
【００６２】
本実施形態では、第１固定部１３の第３支持部２７は、表示パネル１１と略平行となる平坦部３３と、この平坦部３３に設けられ、表示パネル１１に向いて突出した突起部３４とを有する。これによれば、この突起部３４によって表示パネル１１の位置が定まるので、表示パネル１１の位置をより精度良く定めることができる。
【００６３】
本実施形態では、突起部３４と第３支持部２７の縁２７ａとの間に、突起部３４と平坦部３３との高さの違いによる段差部３５が形成されている。これによれば、図５に示すように、表示パネル１１を斜めの姿勢で挿入することができる。表示パネル１１を斜めの姿勢で挿入することができると、作業性が非常に良い。さらに表示パネル１１の前面１１ａがガラスパネル１２と接触しにくいため傷つきにくい。
【００６４】
本実施形態では、第２固定部１４の第２支持部４２の先端部は、表示パネル１１から離れる方向に反っている。これによれば、図７に示すように、第２固定部１４を有する構造であっても、表示パネル１１を斜めの姿勢で挿入することができる。
【００６５】
本実施形態では、第３固定部１５は、ガラスパネル１２に固定された第１部材４５と、第１部材４５に着脱自在に取り付けられ、第１固定部１３の第１支持部２５及び第２固定部１４の第１支持部４１との間に表示パネル１１を挟み込む第２部材４６とを備えている。これによれば、第１固定部１３及び第２固定部１４と第３固定部１５とによって表示パネル１１を上下から規制することができ、表示パネル１１の位置をより確実に固定することができる。
【００６６】
本実施形態では、第３固定部１５の第１部材４５は、ガラスパネル１２に立設されたボス４８を有し、第２部材４６は、ボス４８が挿入される貫通孔５２を有し、ガラスパネル１２に略直交する方向からボス４８に取り付けられる。これによれば、第１固定部１３及び第２固定部１４との間に表示パネル１１を挟み込む構造を簡単な構造で実現することができる。
【００６７】
本実施形態では、テレビジョン受像機１は、第３固定部１５に着脱自在に取り付けられ、表示パネル１１の背面１１ｂに向かい合う第４固定部１６を備えている。これによれば、第４固定部１６と第１固定部１３の第３支持部２７とが協働して、表示パネル１１の背面１１ｂの上端部と下端部とをそれぞれ押えることができる。これにより、表示パネル１１の位置をより確実に固定することができる。
【００６８】
本実施形態では、第１固定部１３は、表示パネル１１の左右の両端部に対応して一対設けられ、この一対の第１固定部１３の第２支持部２６によって表示パネル１１が挟まれている。これによれば、一対の第１固定部１３により表示パネル１１の第１方向Ｘの位置をより確実に固定することができる。
【００６９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００７０】
例えば、第１乃至第５の固定部１３，１４，１５，１６，１７は、板金に限らず、他の材料で形成されたものでもよい。第２乃至第５の固定部１４，１５，１６，１７は、必須の構成要素ではなく、適宜省略可能である。
【００７１】
第１固定部１３は、必ずしも突起部３１，３２，３４を有する必要はない。第３支持部２７は、平坦部３３のみによって形成されてもよい。表示パネル１１は、ガラスパネル１２に沿ってスライドして挿入されてもよい。第２固定部１４の第２支持部４２は、必ずしも反っている必要はない。第１乃至第５の固定部１３，１４，１５，１６，１７の構造や位置、形状は、それぞれ適宜変更可能である。
【００７２】
以下、出願当初の特許請求の範囲に記載されたテレビジョン受像機、及び電子機器を付記する。
【００７３】
［１］、(i)ガラスパネルと、(ii)表示画面を有し、前記ガラスパネルに重ねられた第１面と、この第１面とは反対側に位置した第２面と、前記第１面と前記第２面との間に亘る第３面と、前記第１面と前記第２面との間に亘り、前記第３面とは略直交した第４面とを有した表示パネルと、(iii)前記ガラスパネルに固定され、前記表示パネルの第３面に向かい合う第１支持部と、前記ガラスパネルに固定され、前記表示パネルの第４面に向かい合う第２支持部と、前記第１支持部と前記第２支持部との間に渡され、前記表示パネルの第２面に向かい合う第３支持部とを有し、前記表示パネルが前記第２支持部に沿うようにして前記第１支持部に向けてスライドされて、前記表示パネルの角部が前記ガラスパネルと前記第３支持部との間に挿入される第１固定部と、(iv)前記ガラスパネルに固定され、前記表示パネルの第３面の中央部に向かい合う第１支持部と、この第１支持部の先端部から折れ曲がり、前記表示パネルの第２面に向かい合う第２支持部とを有した第２固定部と、(v)前記ガラスパネルに取り付けられ、前記第１固定部の第１支持部及び前記第２固定部の第１支持部とは反対側から前記表示パネルに向かい合う第３固定部と、を具備したテレビジョン受像機。
【００７４】
［２］、［１］の記載において、前記第１固定部の第３支持部は、前記表示パネルと略平行となる平坦部と、この平坦部に設けられ、前記表示パネルに向いて突出した突起部とを有したテレビジョン受像機。
【００７５】
［３］、［２］の記載において、前記突起部は、前記第３支持部の縁から離れた位置に設けられ、前記突起部と前記第３支持部の縁との間に、前記突起部と前記平坦部との高さの違いによる段差部が形成されたテレビジョン受像機。
【００７６】
［４］、［１］または［３］の記載において、前記第２固定部の第２支持部の先端部は、前記表示パネルから離れる方向に反ったテレビジョン受像機。
【００７７】
［５］、［１］または［４］の記載において、前記第３固定部は、前記ガラスパネルに固定された第１部材と、前記第１部材に着脱自在に取り付けられ、前記第１固定部の第１支持部及び前記第２固定部の第１支持部との間に前記表示パネルを挟み込む第２部材とを備えたテレビジョン受像機。
【００７８】
［６］、［５］の記載において、前記第１部材は、前記ガラスパネルに立設されたボスを有し、前記第２部材は、前記ボスが挿入される孔を有し、前記ガラスパネルに略直交する方向から前記ボスに取り付けられるテレビジョン受像機。
【００７９】
［７］、［１］または［６］の記載において、前記第３固定部に着脱自在に取り付けられ、前記表示パネルの第２面に向かい合う第４固定部を備えたテレビジョン受像機。
【００８０】
［８］、［１］または［７］の記載において、前記第１固定部は、前記表示パネルの両端部に対応して一対設けられ、この一対の第１固定部の第２支持部によって前記表示パネルが挟まれたテレビジョン受像機。
【００８１】
［９］、(i)ガラスパネルと、(ii)前記ガラスパネルに固定され、前記ガラスパネルに対して起立した第１部分と、前記ガラスパネルに向かい合う第２部分とを有した固定部と、(iii)前記ガラスパネルと前記第２部分との間に一部が介在される位置までスライドされて、前記ガラスパネルに重ねられた表示パネルと、を具備した電子機器。
【００８２】
［１０］、［９］の記載において、前記ガラスパネルに取り付けられ、前記固定部の第１部分との間に前記表示パネルを挟む他の固定部を備えた電子機器。
【符号の説明】
【００８３】
Ｃ１…角部、１…テレビジョン受像機、１１…表示パネル、１１ａ…前面、１１ｂ…背面、１１ｃ…上面、１１ｅ…側面、１２…ガラスパネル、１３…第１固定部、１４…第２固定部、１５…第３固定部、１６…第４固定部、２１…表示画面、２５…第１支持部、２６…第２支持部、２７…第３支持部、３３…平坦部、３４…突起部、３５…段差部、４１…第１支持部、４２…第２支持部、４５…第１部材、４６…第２部材、４８…ボス、５２…貫通孔。
【図１】
2012114952.tif 000003
【図２】
2012114952.tif 000004
【図３】
2012114952.tif 000005
【図４】
2012114952.tif 000006
【図５】
2012114952.tif 000007
【図６】
2012114952.tif 000008
【図７】
2012114952.tif 000009
【図８】
2012114952.tif 000010
【図９】
2012114952.tif 000011
【図１０】
2012114952.tif 000012
【図１１】
2012114952.tif 000013
【図１２】
2012114952.tif 000014
【図１３】
2012114952.tif 000015
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
前面パネルと、  表示画面を有し前記前面パネルに重ねられた第１面と、この第１面とは反対側に位置した第２面と、前記第１面と前記第２面との間に亘る第３面と、前記第１面と前記第２面との間に亘るとともに前記第３面との間で角部を構成する第４面と、前記第１面と前記第２面との間に亘るとともに前記第４面との間で他の角部を構成する第５面とを有した表示パネルと、  前記前面パネルに固定され、前記表示パネルの前記第３面の一部に面した第１支持部と、前記表示パネルの前記第４面の一部に面した第２支持部と、前記第１支持部と前記第２支持部との間に亘って前記表示パネルの前記第２面の一部に面するとともに前記前面パネルとの間で前記角部を挟む第３支持部とを有した第１固定部と、  前記前面パネルに固定され、前記表示パネルの前記第３面の中央部分に面した部分と、この部分と繋がり前記表示パネルの前記第２面に面した他の部分とを有した第２固定部と、  前記前面パネルに固定され、前記第５面に面した部分を有した第３固定部と、  を具備したテレビジョン受像機。
【請求項２】
前面パネルと、  前記前面パネルに覆われた表示画面と、角部と、第１端部と、第２端部とを有した表示パネルと、  前記前面パネルに固定され、前記前面パネルとの間で前記角部を挟む部分を有した第１固定部と、  前記前面パネルに固定され、前記前面パネルとの間で前記第１端部の一部を挟む部分を有した第２固定部と、  前記前面パネルに固定され、前記第２端部の一部に面した部分を有した第３固定部と、  を具備した電子機器。
【請求項３】
請求項２の記載において、  前記第１固定部の前記前面パネルとの間で前記角部を挟む部分は、前記表示パネルと略平行な平坦部と、この平坦部に設けられ、前記表示パネルに向いて突出した突起部とを有した電子機器。
【請求項４】
請求項３の記載において、  前記突起部は、前記第１固定部の縁から離れた位置に設けられ、前記突起部と前記第１固定部の縁との間に、前記突起部と前記平坦部との高さの違いによる段差部が設けられた電子機器。
【請求項５】
請求項２または請求項４の記載において、  前記第２固定部の前記他の部分の先端部は、前記表示パネルから離れる方向に反った電子機器。
【請求項６】
請求項２または請求項５の記載において、  前記第３固定部は、前記前面パネルに固定された第１部材と、前記第１部材に着脱自在に取り付けられ、前記第１固定部及び前記第２固定部との間に前記表示パネルを挟み込む第２部材とを備えた電子機器。
【請求項７】
請求項６の記載において、  前記第１部材は、前記前面パネルに立設されたボスを有し、前記第２部材は、前記ボスが挿入される孔が設けられて前記前面パネルに略直交する方向から前記ボスに取り付けられる電子機器。
【請求項８】
請求項２または請求項７の記載において、  前記第３固定部に着脱自在に取り付けられ、前記前面パネルとは反対側から前記表示パネルに向かい合う第４固定部を備えた電子機器。
【請求項９】
請求項２または請求項８の記載において、  前記第１固定部は、前記表示パネルの両端部に対応して一対設けられ、この一対の第１固定部によって前記表示パネルが挟まれた電子機器。
【請求項１０】
請求項２または請求項９の記載において、 前記角部の先端は、前記第１固定部から露出される電子機器。
【手続補正３】
【補正対象書類名】明細書
【補正対象項目名】０００５
【補正方法】変更
【補正の内容】
【０００５】  本発明の目的は、部品点数の削減を図ることができるテレビジョン受像機及び電子機器を提供することである。
【手続補正４】
【補正対象書類名】明細書
【補正対象項目名】０００６
【補正方法】変更
【補正の内容】
【０００６】  実施形態によれば、電子機器は、前面パネルと、表示パネルと、第１固定部と、第２固定部と、第３固定部とを有する。前記表示パネルは、前記前面パネルに覆われた表示画面と、角部と、第１端部と、第２端部とを有する。前記第１固定部は、前記前面パネルに固定され、前記前面パネルとの間で前記角部を挟む部分を有する。前記第２固定部は、前記前面パネルに固定され、前記前面パネルとの間で前記第１端部の一部を挟む部分を有する。前記第３固定部は、前記前面パネルに固定され、前記第２端部の一部に面した部分を有する。
【手続補正５】
【補正対象書類名】明細書
【補正対象項目名】００７２
【補正方法】変更
【補正の内容】
【００７２】  以下、いくつかのテレビジョン受像機、及び電子機器を付記する。